(57)【要約】【課題】  ゴルフボールを真上から見て打つこと及び意図する目標ラインに対してクラブフェイスを直角に合わせることができるようにしてパッティングをより正確に行えるようにしたゴルフ用パタークラブを提供する。【解決手段】 ゴルフ用パタークラブ１は、クラブフェイス１１を目標ラインに対して直角に向けるのを補助する補助要素であるスリット７と、パッティングの際にプレーヤーの目が目標ライン上、ゴルフボールの真上、またはクラブフェイス１１のスイートスポットＳの真上に位置していることを確認できる目の位置確認穴３と、を備えている。  【選択図】  図１
2006326216.tif 000002
【特許請求の範囲】
【請求項１】
クラブフェイス(11)を目標ラインに対して直角に向けるのを補助する補助要素(7)(7a,7b)と、
パッティングの際にプレーヤーの目が目標ライン上、ゴルフボールの真上、またはクラブフェイス(11)のスイートスポット(S)の真上に位置していることを確認できる確認要素(3)(3a)(3b,3c)と、
を備えていることを特徴とする、
ゴルフ用パタークラブ。
【請求項２】
パッティングの際にプレーヤーの目が目標ライン上、ゴルフボールの真上、またはクラブフェイス(11)のスイートスポット(S)の真上に位置していることを確認できる確認要素(3)(3a)(3b,3c)と、
目標ライン上に合わせた左右の目で視認することによって、クラブフェイス(11)を目標ラインに対して直角に向けるのを補助できる補助要素(7)(7a,7b)と、
を備えていることを特徴とする、
ゴルフ用パタークラブ。
【請求項３】
クラブフェイス(11)を目標ラインに対して直角に向けるのを補助する補助要素(7)(7a,7b)と、
パッティングの際にプレーヤーの目が目標ライン上、ゴルフボールの真上、またはクラブフェイス(11)のスイートスポット(S)の真上に位置していることを確認できる確認要素(3)(3a)(3b,3c)と、
を備えており、
上記補助要素(7)(7a,7b)は、クラブフェイス(11)背面側に延設されている、上下方向に貫通した溝または穴を有し、
上記確認要素(3)(3a)(3b,3c)は、クラブフェイス(11)と上記補助要素(7)(7a,7b)との間に設けてあり上下方向に貫通しているた溝または穴を有していることを特徴とする、
ゴルフ用パタークラブ。
【請求項４】
クラブフェイス(11)を目標ラインに対して直角に向けるのを補助する補助要素(7)(7a,7b)と、
パッティングの際にプレーヤーの目が目標ライン上、ゴルフボールの真上、またはクラブフェイス(11)のスイートスポット(S)の真上に位置していることを確認できる確認要素(3)(3a)(3b,3c)と、
を備えており、
上記補助要素(7)(7a,7b)は、クラブフェイス(11)背面側に延設されている、上下方向に貫通した溝または穴を有し、
上記確認要素(3)(3a)(3b,3c)は、クラブフェイス(11)と上記補助要素(7)(7a,7b)との間に設けてあり上下方向に貫通しているた溝または穴を有し、
上記補助要素(7)(7a,7b)と確認要素(3)(3a)(3b,3c)の溝または穴は、プレーヤーの目の位置が目標ラインを含む平面上あると共にゴルフボールの真上またはクラブフェイス(11)のスイートスポット(S)の真上に位置しているときに溝または穴の上側開口から溝または穴の底または下側開口が見えるよう構成してあることを特徴とする、
ゴルフ用パタークラブ。
【請求項５】
補助要素(7)(7a,7b)と確認要素(3)(3a)(3b,3c)の溝または穴の下側開口の下側には空間部(61)(62)(63)が形成されていることを特徴とする、
請求項３または４記載のゴルフ用パタークラブ。  
【請求項６】
クラブヘッド(2)は、板状の底部材(22)と、該底部材(22)上に補助要素(7)と確認要素(3)(3a)とを有するクラブヘッド本体(21)を備えており、
該空間部(61)(62)は底部材(22)とクラブヘッド本体(21)の間に設けてあることを特徴とする、
請求項５記載のゴルフ用パタークラブ。
【請求項７】
クラブヘッド(2a)は、マレット型のクラブヘッド本体(4a)と、該クラブヘッド本体(4a)に設けてある凹部(43)上を掛け渡されて設けてあるガイド体(5a)と、を有し、
確認要素(3)(3a)(3b,3c)と補助要素(7)(7a,7b)は上記ガイド体(5a)に設けてあり、空間部(63)は凹部(43)で構成されていることを特徴とする、
請求項５記載のゴルフ用パタークラブ。
【請求項８】
補助要素(7)(7a,7b)の穴は、複数列設された小孔で構成されていることを特徴とする、
請求項３，４, ５，６または７記載のゴルフ用パタークラブ。
【発明の詳細な説明】
【技術分野】
【０００１】
本発明は、ゴルフ用パタークラブ（以下、単に「ゴルフパター」や「パター」という場合がある）に関する。
【０００２】
更に詳しくは、ゴルフボールを真上（鉛直方向）から見て打つこと及び意図する目標ラインに対してクラブフェイス（打球面）を直角に合わせることができるようにしてパッティングをより正確に行えるようにしたゴルフ用パタークラブを提供に関する。
【背景技術】
【０００３】
ゴルフ競技やプレーにおいて、パッティングを正確に行うためには、ゴルフボールを真上（鉛直方向）から見て打つことが重要と言われている。
【０００４】
更に、ゴルファーが意図する目標ラインにゴルフボールを正確に打ち出すためには、目標ラインに向かってクラブヘッドを直線的に振り抜く必要がある。そのためには、意図する目標ラインに対してクラブフェイスを直角に合わせ、その状態を保ちながらクラブヘッドを直線的に振り抜く必要がある。
【０００５】
例えば特許文献１には、ゴルフボールを目標に対し直線的に打てるようにするために、クラブフェイスを有するヘッド本体の背面側に案内用の棒状物を取り付け、クラブヘッド全体を平面視Ｔ字状に形成したものが提案されている。
【特許文献１】特開昭５９−１９４７６４号公報（第２頁、第１図及び第２図）
【発明の開示】
【発明が解決しようとする課題】
【０００６】
しかしながら、特許文献１記載のものでは、ゴルフボールに対する目の位置を確認する手段が設けられていないため、自己のストローク姿勢に合ったアドレスを正確にチェックすることは容易ではない。
【０００７】
更に、クラブヘッドには案内用の棒状物が設けられてはいるものの、単に目標ラインに棒状物を向けただけでは、意図する目標ラインの延長線上に棒状物の軸心方向を正確に合わせることは困難である。このため、棒状物を目標ラインに合わせたつもりでクラブヘッドを振り下ろしても、意図する目標ラインに対してクラブフェイスを直角に合わせることは容易ではない。
【０００８】
（本発明の目的）
そこで本発明の目的は、ゴルフボールを真上から見て打つこと及び意図する目標ラインに対してクラブフェイスを直角に合わせることができるようにしてパッティングをより正確に行えるようにしたゴルフ用パタークラブを提供することにある。
【課題を解決するための手段】
【０００９】
上記目的を達成するために本発明が講じた手段は次のとおりである。
なお、後述する作用の説明の理解を助けるため、図面において使用した符号を括弧を用いて記載しているが、各構成要件を図面記載のものに限定するものではない。
【００１０】
第１の発明にあっては、
クラブフェイス(11)を目標ラインに対して直角に向けるのを補助する補助要素(7)(7a,7b)と、
パッティングの際にプレーヤーの目が目標ライン上、ゴルフボールの真上、またはクラブフェイス(11)のスイートスポット(S)の真上に位置していることを確認できる確認要素(3)(3a)(3b,3c)と、
を備えていることを特徴とする、
ゴルフ用パタークラブである。
【００１１】
第２の発明にあっては、
パッティングの際にプレーヤーの目が目標ライン上、ゴルフボールの真上、またはクラブフェイス(11)のスイートスポット(S)の真上に位置していることを確認できる確認要素(3)(3a)(3b,3c)と、
目標ライン上に合わせた左右の目で視認することによって、クラブフェイス(11)を目標ラインに対して直角に向けるのを補助できる補助要素(7)(7a,7b)と、
を備えていることを特徴とする、
ゴルフ用パタークラブである。
【００１２】
第３の発明にあっては、
クラブフェイス(11)を目標ラインに対して直角に向けるのを補助する補助要素(7)(7a,7b)と、
パッティングの際にプレーヤーの目が目標ライン上、ゴルフボールの真上、またはクラブフェイス(11)のスイートスポット(S)の真上に位置していることを確認できる確認要素(3)(3a)(3b,3c)と、
を備えており、
上記補助要素(7)(7a,7b)は、クラブフェイス(11)背面側に延設されている、上下方向に貫通した溝または穴を有し、
上記確認要素(3)(3a)(3b,3c)は、クラブフェイス(11)と上記補助要素(7)(7a,7b)との間に設けてあり上下方向に貫通しているた溝または穴を有していることを特徴とする、
ゴルフ用パタークラブである。
【００１３】
第４の発明にあっては、
クラブフェイス(11)を目標ラインに対して直角に向けるのを補助する補助要素(7)(7a,7b)と、
パッティングの際にプレーヤーの目が目標ライン上、ゴルフボールの真上、またはクラブフェイス(11)のスイートスポット(S)の真上に位置していることを確認できる確認要素(3)(3a)(3b,3c)と、
を備えており、
上記補助要素(7)(7a,7b)は、クラブフェイス(11)背面側に延設されている、上下方向に貫通した溝または穴を有し、
上記確認要素(3)(3a)(3b,3c)は、クラブフェイス(11)と上記補助要素(7)(7a,7b)との間に設けてあり上下方向に貫通しているた溝または穴を有し、
上記補助要素(7)(7a,7b)と確認要素(3)(3a)(3b,3c)の溝または穴は、プレーヤーの目の位置が目標ラインを含む平面上あると共にゴルフボールの真上またはクラブフェイス(11)のスイートスポット(S)の真上に位置しているときに溝または穴の上側開口から溝または穴の底または下側開口が見えるよう構成してあることを特徴とする、
ゴルフ用パタークラブである。
【００１４】
第５の発明にあっては、
補助要素(7)(7a,7b)と確認要素(3)(3a)(3b,3c)の溝または穴の下側開口の下側には空間部(61)(62)(63)が形成されていることを特徴とする、
第３または第４の発明に係るゴルフ用パタークラブである。
【００１５】
第６の発明にあっては、
クラブヘッド(2)は、板状の底部材(22)と、該底部材(22)上に補助要素(7)と確認要素(3)(3a)とを有するクラブヘッド本体(21)を備えており、
該空間部(61)(62)は底部材(22)とクラブヘッド本体(21)の間に設けてあることを特徴とする、
第５の発明に係るゴルフ用パタークラブである。
【００１６】
第７の発明にあっては、
クラブヘッド(2a)は、マレット型のクラブヘッド本体(4a)と、該クラブヘッド本体(4a)に設けてある凹部(43)上を掛け渡されて設けてあるガイド体(5a)と、を有し、
確認要素(3)(3a)(3b,3c)と補助要素(7)(7a,7b)は上記ガイド体(5a)に設けてあり、空間部(63)は凹部(43)で構成されていることを特徴とする、
第５の発明に係るゴルフ用パタークラブである。
【００１７】
第８の発明にあっては、
補助要素(7)(7a,7b)の穴は、複数列設された小孔で構成されていることを特徴とする、
第３，４，５，６または第７の発明に係るゴルフ用パタークラブである。
【００１８】
本明細書及び特許請求の範囲にいう「補助要素」は、クラブフェイス(11)を目標ラインに対して直角に向けるのを補助できるものであれば良く、例えば穴（長孔、スリットを含む）、溝、表示テープ（光の反射角度を利用して視認方向を確認できるようなもの）等を挙げることができる。
【００１９】
本明細書及び特許請求の範囲にいう「確認要素」は、パッティングの際にプレーヤーの目が目標ライン上、ゴルフボールの真上、またはクラブフェイスのスイートスポットの真上に位置していることを確認できるものであれば良く、例えば穴（長孔、スリットを含む）、溝、表示テープ（光の反射角度を利用して視認方向を確認できるようなもの）等を挙げることができる。
【００２０】
「補助要素」や「確認要素」を穴で構成した場合には、その穴の形状について特に限定するものではなく、例えば円形や方形または矩形状で形成することができる。またその場合には、穴の底面形状やスリットの内側面が視認しやすいように識別または区別手段を設けることできる。この場合の識別または区別手段は、穴の底部側を穴の表面側と異なる色で着色したり、穴の底部側に穴の底部側から光を取り込める鏡、光反射用のテープや発光体等を使用して構成することができる。
【００２１】
（作  用）
本発明に係るゴルフパターは、例えば次のように作用する。
まず、ゴルフボール(B)の後方にクラブフェイス(11)のスイートスポット(S)を合わせる。そして、首を真横に振りながら、プレーヤーであるゴルファー(G)が意図する目標ライン（ゴルファーの所望するゴルフボールの転がるライン）を確認する。このラインがゴルファー(G)が所望するゴルフボール(B)の打ち出し方向となる。
【００２２】
次に、目標ライン上、ゴルフボールの真上、またはクラブフェイス(11)のスイートスポット(S)の真上（鉛直方向）から見た状態で、ゴルファー(G)が意図する目標ラインに対してクラブフェイス(11)を直角に合わせながらアドレスを整える。
【００２３】
本発明に係るゴルフパターによれば、確認要素(3)(3a)(3b,3c)により、ゴルファー(G)の目が目標ライン上、ゴルフボールの真上、またはクラブフェイス(11)のスイートスポット(S)の真上に位置しているか否かを確認する。
更に補助要素(7)(7a,7b)により、クラブフェイス(11)が目標ラインに対して直角に向いているか否かを確認する。後は、クラブヘッド(2)を目標ラインに沿って直線的に振り抜くことができれば、正確なパッティングができる。
【００２４】
確認要素(3)(3a)(3b,3c)がクラブフェイス(11)と上記補助要素(7)(7a,7b)との間に設けてあり上下方向に貫通しているた溝または穴を有しているものでは、溝または穴の見え方によって目の位置を確認する。
また、補助要素(7)(7a,7b)がクラブフェイス(11)背面側に延設されている、上下方向に貫通した溝または穴で構成されているものでは、同様に溝または穴の見え方によってクラブフェイス(11)が目標ラインに対して直角に向いているか否かを確認する。
【発明の効果】
【００２５】
本発明は上記構成を備え、次の効果を有する。
本発明によれば、ゴルフパターに設けてある補助要素と確認要素により、ゴルフボールを真上から見て打つこと及び意図する目標ラインに対してクラブフェイスを直角に合わせることができるので、パッティングをより正確に行うことができるようになる。
【発明を実施するための最良の形態】
【００２６】
以下、本発明を実施例により説明するが、本発明はこれらに限定されるものではない。
【００２７】
本発明を図面に示した実施例に基づき更に詳細に説明する。
【実施例１】
【００２８】
図１ないし図３は、本発明に係るゴルフ用パタークラブの第１の実施例を示す説明図である。
図１は、本実施例に係るゴルフ用パタークラブ１をクラブフェイス１１の背部斜視方向から見た説明図である。
図２は、図１に示すゴルフ用パタークラブ１をクラブフェイス１１の正面斜視方向から見た説明図であり、ヘッド本体４に設けてある確認要素である目の位置確認穴３に対するゴルファーＧの左目の位置を合わせて示している。
なお、図１及び図２では、クラブシャフト１２の上部側を省略して表している。
【００２９】
図３は、図１に示すゴルフ用パタークラブ１の平面視説明図である。
なお、図３では、クラブヘッド２のスイートスポットＳ前方に置いたゴルフボールＢを二点鎖線（想像線）で示している。これについては、後述する図８についても同じである。
【００３０】
図１及び図２に示すように、ゴルフ用パタークラブ１（以下、単に「ゴルフパター」という場合がある）は、クラブシャフト１２の先端にクラブヘッド２を備えている。クラブヘッド２は、図３に示すように平面視で略Ｔ字状に形成されている。
【００３１】
本実施例では、図２に示すように、クラブヘッド２は、平面視略Ｔ字状のクラブヘッド本体２１の底部に、同じく平面視略Ｔ字状の板体である底部材２２を固着することによって、その全体構造が形成されている。そうして、クラブヘッド２は、クラブフェイス１１を備えたヘッド本体４と、ヘッド本体４の背面側に設けられ、平面視でクラブフェイス１１に対し直角方向に延設されているガイド体である目標ラインガイド体５と、を備えている。目標ラインガイド体５の基端部は、ヘッド本体４の長手方向の中間部に位置している。
【００３２】
そして、平面視略Ｔ字状のクラブヘッド本体２１の底部側のうち、ヘッド本体４と目標ラインガイド体５が交差する部分に相当する箇所とその周り、更に目標ラインガイド体５の基端側から先部側に相当する箇所において、底部側から略Ｔ字状に切り欠くようにして凹部２３が形成されており、この凹部２３を底部側から閉じるようにして上記した底部材２２がクラブヘッド本体２１の底面部に固着されている。この凹部２３が後述する空間部である光取り込み部６１，６２を構成する。
【００３３】
ヘッド本体４は細長い略直方体であり、クラブフェイス１１とクラブフェイス１１と対向する背面４１とが平行になるように形成されている。そして、図２に示すクラブフェイス１１の中央部分がゴルフボールＢに対するゴルフパター１のスイートスポットＳとなっている。
【００３４】
ヘッド本体４には、スイートスポットＳに対応する位置に四角柱状の穴である目の位置確認穴３が形成されている。この目の位置確認穴３が、パッティングの際にプレーヤーであるゴルファーＧの目が目標ライン上、ゴルフボールの真上、またはクラブフェイスのスイートスポットの真上に位置していることを確認できる確認要素を構成する。図３に示すように、目の位置確認穴３はクラブフェイス１１と背面４１のほぼ中間位置にあり、更にスイートスポットＳを通ってクラブフェイス１１から背面４１側へ延びる直線上（目標ラインガイド体５の軸心方向上）に設けられている。目の位置確認穴３は例えば２mm以下の穴で構成できる。
【００３５】
図１に示すように、目の位置確認穴３の底部開口３１は、ヘッド本体４の背面４１側から目の位置確認穴３のほぼ真下の位置まで開口して設けられた空間部である光取り込み部６１と連通している。上記したように、光取り込み部６１は、クラブヘッド本体２１の底部側に切り欠くようにして設けられた凹部２３と、凹部２３を閉じるようにして設けられた底部材２２によって構成される。
【００３６】
光取り込み部６１はヘッド本体４の底部寄りに位置し、図３に示すように、その背面４１側の開口部（符号省略）は、目標ラインガイド体５の基端部の両側の位置まで開口している。光取り込み部６１は、より多くの光を奥に取り込めるように、奥部よりも開口部側が少し拡がっている。
【００３７】
目の位置確認穴３の底部開口３１は、ヘッド本体４を目でほぼ真上から見たときに天部開口３２を通してその全形（本実施例では長方形）が見える深さに位置している。そして、ヘッド本体４の上面部４２は、目の位置確認穴３の下方に位置する底部材２２の表面（光取り込み部６１の底内面）とは、目の位置確認穴３の形状が容易に識別または区別できるように構成されている。本実施例では、ヘッド本体４の上面部４２が黒色で、底部材２２の表面が蛍光黄色と異なる色に着色されて容易に識別または区別できるようになっている。
【００３８】
これにより、図２に示すように、ゴルフパター１のヘッド本体４をスイートスポットＳのほぼ真上の位置(ｂ)から見たときには、目の位置確認穴３の底部開口３１の全形を見ることはできる。しかし、スイートスポットＳのほぼ真上以外の位置（例えば位置(ａ)，(ｃ)）からヘッド本体４を見ると、目の位置確認穴３の底部開口３１の全形を見ることはできない。これについての詳しい説明は、後述する。
【００３９】
一方、目標ラインガイド体５には、目標ラインガイド体５の延設方向に向かって（長手方向に沿って）孔であるスリット７が設けてある。このスリット７は、クラブフェイス１１を目標ラインに対して直角に向けるのを補助する補助要素を構成する。即ち、このスリット７により、クラブヘッド２の上方から見た際のゴルファーＧの意図する目標ライン（所望するゴルフボールＢの転がり方向）に対するクラブフェイス１１の角度が直角であるか否か、または本質的に直角であるか否かを視認できる。
【００４０】
スリット７は、目標ラインガイド体５の並行に位置する内側面部５１と外側面部５２のほぼ中間位置にあり、更にスイートスポットＳを通ってクラブフェイス１１から背部側（クラブヘッド２の後方）へ延びる垂直線上に位置している。
【００４１】
図１に示すように、スリット７の底部開口７１は、目標ラインガイド体５の底部寄りに開口して設けられた空間部である光取り込み部６２と連通している。上記したように、光取り込み部６２は、クラブヘッド本体２１の底部側に切り欠くようにして設けられた凹部２３と、凹部２３の下方に設けられた底部材２２で構成されている。
【００４２】
スリット７の底部開口７１は、目標ラインガイド体５を左右の目で見たときに天部開口７２を通してその全形（本実施例では長方形）が見える深さに位置している。そして、目標ラインガイド体５の上面部５３は、ヘッド本体４と同様に、スリット７の下方に位置する底部材２２の表面とは異なる色に着色されている（本実施例では、目標ラインガイド体５の上面部５３が黒色で、底部材２２の表面が蛍光黄色）。
【００４３】
（作  用）
本実施例に係るゴルフパター１の作用を説明する。なお、本実施例では、右打ちのゴルファーＧのパッティング方法を例に挙げて説明する。
図４は、図１に示すゴルフパター１を使用してパッティングを行っているゴルファーＧを示す正面視説明図、
図５は、図４の右側面視説明図である。
【００４４】
まず最初に、図４及び図５を参照しながら、理想的なパッティングの手順について簡単に説明し、その後に、本実施例に係るゴルフパター１をどのように使用するかについて詳しく説明する。
【００４５】
（パッティングの手順）
まず、図４及び図５に示すように、ゴルフパター１を握って構えた状態で、ゴルフボールＢの後方にヘッド本体４のスイートスポットＳを合わせる。そして、図４に示すように、首を真横に振りながら、打撃目標地点ＰとスイートスポットＳを結ぶ線である目標ラインＸ確認する。この方向が、ゴルファーＧが所望するゴルフボールＢの転がり方向となる。そして、首を真横に振りながら両目Ｌ，Ｒで目標ラインＸを確認することにより、左目Ｌと右目Ｒを結ぶ線が目標ラインＸと一致する。
【００４６】
次に、図４で符号(ｂ)に示すように、(1) ゴルフボールＢを鉛直方向（ほぼ真上）から見た状態で、(2) 目標ラインＸに対してクラブフェイス１１を直角に合わせながらアドレスを整える。後は、クラブヘッド２を目標ラインＸの方向に直線的に振り抜くことができれば、正確なパッティングができる。
【００４７】
（ゴルフパター１の使用方法）
本実施例に係るゴルフパター１を使用すれば、上記した手順のうちの(1) ゴルフボールＢを鉛直方向（ほぼ真上）から見ること、(2) 目標ラインＸに対してクラブフェイス１１を直角に合わせることが容易に且つ正確にできる。
【００４８】
図６及び図７は、ヘッド本体４の上方から目の位置確認穴３とスリット７を見たときの状態を示す概略説明図である。
なお、図６及び図７では、上側がゴルファーＧの立ち位置に対してアウトサイド（外側）、下側がインサイド（内側）になるよう図示している。
【００４９】
また、図６及び図７では、目の位置確認穴３及びスリット７の作用を理解しやすいように、その大きさを誇張して表している。
更に、図６の(ａ)、(ｂ)、(ｃ)は、図２及び図５に示すゴルファーＧの目の各位置(ａ)、(ｂ)、(ｃ)にそれぞれ対応させて図示したものである。
【００５０】
以下、主に図６及び図７を参照しながら、ゴルフパター１の使用方法について説明する。
まず、右打ちのゴルファーＧがゴルフパター１を使用する場合、図２(ｂ)に示すように目の位置確認穴３の真上（鉛直方向）に左目Ｌがくるようにして、目の位置確認穴３とスリット７を見る。例えば図６(ｂ)に示すように、左目Ｌが目の位置確認穴３のほぼ真上にあれば、右目Ｒは目標ラインガイド体５の先端付近（図６で右端付近）に位置することになる。
【００５１】
そして、実際に図６(ｂ)に示すように、目の位置確認穴３とスリット７の形がゴルファーＧの目に映った場合には、(1) ゴルフボールＢを鉛直方向（ほぼ真上）から見たことになると共に、(2) 目標ラインＸに対してクラブフェイス１１を直角に合わせたことになる。よって、このアドレス姿勢でパッティングを行うことが重要である。
【００５２】
即ち、ゴルフボールＢを鉛直方向（ほぼ真上）から見ている状態では、目の位置確認穴３の底部開口３１と天部開口３２の鉛直方向のズレは生じない。したがって、図６(ｂ)に示すように、目の位置確認穴３の目標ラインＸの方向（図６で左右方向）の内壁は見えない。また、スリット７も同様に、底部開口７１と天部開口７２の鉛直方向のズレは生じていないので、スリット７の目標ラインＸの方向の内壁も見えない。
【００５３】
更に、目標ラインＸに対してクラブフェイス１１が直角に合っている状態では、目標ラインＸとスリット７の長手方向（図６で左右方向）が一致していることになる。そして、上記したように、左目Ｌと右目Ｒを結ぶ線は予め目標ラインＸと一致させているため、左目Ｌと右目Ｒを結ぶ線はスリット７の長手方向と一致していることになる。したがって、スリット７の長手方向である目標ラインＸの方向の内壁は見えない。
【００５４】
なお、左目Ｌと右目Ｒは左右離れているため、右目Ｒをつぶって左目Ｌだけで厳密に見た場合には、スリット７の右端縁に内側面（内壁）７３が見える。また逆に、左目Ｌをつぶって右目Ｒだけで厳密にスリット７を見た場合には、目の位置確認穴３の左端縁とスリット７の左端縁に内側面３３が見える。よって、両目を開けてしっかり見ると、図６(ｂ)に示すように、目の位置確認穴３及びスリット７の幅方向に沿って内壁が一部ぼんやりと見えることになるが、これについては、(1) ゴルフボールＢを鉛直方向（ほぼ真上）から見ること、(2) 目標ラインＸに対してクラブフェイス１１を直角に合わせることの判断材料とはならないので、気にしないで良い。
【００５５】
また、スリット７が細ければ細いほど、スリット７全体が内側面７３によって黒く見え、判断が容易にできるようになるので、好ましい。更に、確認要素をスリット７ではなく、複数列設された小孔で構成することもできる。
【００５６】
これに対し、目の位置確認穴３とスリット７の形が図６(ａ)に示すように目に映った場合には、(1)のゴルフボールＢを鉛直方向（ほぼ真上）から見ていることにはならず、図５の(ａ)に示すように、目がゴルフボールＢよりもアウトサイド（外側）にあることを認識できる。
【００５７】
即ち、アウトサイドから目の位置確認穴３を見ると、底部開口３１と天部開口３２の鉛直方向のズレによって、目の位置確認穴３の内側面３３がインサイドに表れる。更に、スリット７も同様に、底部開口７１と天部開口７２の鉛直方向のズレによって目の位置確認穴３の内側面７３がインサイドに表れる。
【００５８】
このアドレス姿勢では、仮にクラブフェイス１１が目標ラインＸに対して直角に合っている場合でも、正確なパッティングが困難となる。その理由は、ゴルファーＧが目標ラインＸの方向にクラブヘッド２を直線的に振り抜いたつもりでも、実際には二点鎖線（想像線）で示すように、クラブフェイス１１が目標ラインＸに対してインサイドに傾いた状態で振ってしまう場合が多いからである。この理由のメカニズムは明らかでないが、図５の(ａ)に示すように、クラブヘッド２がゴルファーＧのインサイドに位置することによって、視認方向にズレが生じ、そのズレから生じる錯覚から起こるものと考えられる。
【００５９】
また、図６(ｃ)に示すように、目の位置確認穴３とスリット７の形がゴルファーＧの目に映った場合には、図６(ａ)と同様、(1)のゴルフボールＢを鉛直方向（ほぼ真上）から見ていることにはならない。この場合、図５の(ｃ)に示すように、目がゴルフボールＢよりもインサイドにあることを認識できる。
【００６０】
即ち、インサイドから目の位置確認穴３を見ると、底部開口３１と天部開口３２の鉛直方向のズレによって目の位置確認穴３の内側面３３がアウトサイドに表れる。更に、スリット７も同様に、底部開口７１と天部開口７２の鉛直方向のズレによって目の位置確認穴３の内側面７３がアウトサイドに表れる。
【００６１】
このアドレス姿勢では、上記した図６(ａ)の場合と同様に、仮にクラブフェイス１１が目標ラインＸに対して直角に合っている場合でも、正確なパッティングが困難となる。その理由は、ゴルファーＧが目標ラインＸの方向にクラブヘッド２を直線的に振り抜いたつもりでも、実際には二点鎖線（想像線）で示すように、クラブフェイス１１が目標ラインＸに対してアウトサイドに傾いた状態で振ってしまう場合が多いからである。
【００６２】
また更に、ゴルフボールＢを鉛直方向（ほぼ真上）から見ていたとしても、目の位置確認穴３とスリット７の形が図７の（i）または（ii）のように見えた場合には、(2)の目標ラインＸに対してクラブフェイス１１を直角に合わせたことにはならない。
【００６３】
即ち、図７(i)に示すように、ゴルフボールＢを鉛直方向（ほぼ真上）から見ていたとしても（左目Ｌが目の位置確認穴３のほぼ真上に位置しているとしても）、クラブフェイス１１が目標ラインＸに対してインサイドに傾いている状態では、スリット７の長手方向が目標ラインＸからズレていることになる。したがって、底部開口７１と天部開口７２の鉛直方向のズレにより、スリット７の内側面７３がアウトサイドに表れていることを右目Ｒで確認できる。
【００６４】
また、図７(ii)に示すように、ゴルフボールＢを鉛直方向（ほぼ真上）から見ていたとしても、クラブフェイス１１が目標ラインＸに対してアウトサイドに傾いている状態では、スリット７の長手方向が目標ラインＸからズレているため、スリット７の内側面７３がインサイドに表れていることを右目Ｒで確認できる。
【００６５】
なお、図７(i)では右目Ｒで見えるスリット７の内側面７３を同じ幅で図示しているが、厳密に言えば、スリット７の基端側（図７で左端側）よりも先端側（図７で右端側）の方が目標ラインＸからより大きく外れているため、右目Ｒでスリット７を見るとその先端側（図７で右端側）の方がより広い範囲で内側面７３が見えることになる。これについては、図７(ii)についても同様で、目標ラインＸからより大きく外れているスリット７の先端側（図７で右端側）の方がより広い範囲で内側面７３が見えることになる。
【００６６】
以上説明したように、図６(ｂ)に示すように目の位置確認穴３及びスリット７の形が見えた場合には、(1) ゴルフボールＢを鉛直方向（ほぼ真上）から見ている」、(2)「目標ラインＸに対してクラブフェイス１１が直角に合っていることになるため、それ以外の形で見えた場合には、図６(ｂ)のように見えるようにアドレスを整える。
【００６７】
このように、本実施例に係るゴルフパター１を使用することにより、理想的なパッティングの手順のうちの(1) ゴルフボールＢを鉛直方向（ほぼ真上）から見ること、(2) 目標ラインＸに対してクラブフェイス１１を直角に合わせることが容易に且つ正確にできるようになる。よって、後は、クラブヘッド２を目標ラインＸの方向に直線的に振り抜くことができれば、正確なパッティングができる。
【００６８】
また本実施例では、目の位置確認穴３及びスリット７が貫通して設けてあるので、貫通していない場合と比べ、芝や土等のゴミが穴やスリットに溜まりにくい。
【００６９】
なお、図６及び図７では、目の位置確認穴３の真上（鉛直方向）に左目Ｌがくるようにして、目の位置確認穴３とスリット７を見た場合で説明したが、図２の（ｄ）または(ｅ)に示すように、左目Ｌが目標ラインＸの方向にややずれた状態でもどちらかの目がスリット７の傾斜角度を判断できるのであれば、上記したような判断方法でアドレスのチェックができる。
【００７０】
また、図５では、左目Ｌの目線(ａ)(ｂ)(ｃ)を表す一点鎖線が重ならないように身体をやや前に倒し、足はインサイドへやや引いた状態で図示しているが、必ずしも図５に示すアドレス姿勢がベストと言うわけではなく、各ゴルファーＧに合ったアドレス姿勢をとれば良い。
【実施例２】
【００７１】
図８は、本発明に係るゴルフ用パタークラブの第２の実施例を示す平面視説明図である。
なお、実施例１と同一または同等箇所には同一の符号を付して示している。また、実施例１で説明した箇所については、説明を省略し、主に相異点を説明する。これについては、後述する実施例３についても同様である。
【００７２】
本実施例に係るゴルフパター１ａでは、実施例１に係るゴルフパター１（図３参照）と相違して、ヘッド本体４に設けてある目の位置確認手段が穴ではなく、ヘッド本体４の長手方向に沿って延びるスリット３ａで構成されている。このスリット３ａの作用及び効果は、実施例１の目の位置確認穴３（図３参照）と大体において同じであるため、説明を省略する。
【実施例３】
【００７３】
図９ないし図１１は、本発明に係るゴルフ用パタークラブの第３の実施例を示す説明図である。
図９は、本実施例に係るゴルフ用パタークラブ１ｂをクラブフェイス１１の背部斜視方向から見た説明図である。
図１０は、図９に示すゴルフ用パタークラブ１ｂをクラブフェイス１１の正面斜視方向から見た説明図である。
図１１は、図９に示すゴルフ用パタークラブ１ｂの平面視説明図である。
【００７４】
上記した実施例１（図３参照）では、クラブヘッド２が平面視Ｔ字状に形成されているが、本実施例に係るゴルフパター１ｃ（１１図参照）では、クラブヘッド２ａが平面視Ｄ形状に形成されている。
【００７５】
このゴルフパター１ｂのクラブヘッド２ａは、クラブフェイス１１を備えた平面視Ｄ形状のクラブヘッド本体４ａと、クラブヘッド本体４ａの上面側に位置し、平面視でクラブフェイス１１に対し直角方向に延設された断面円形状の筒状体であるガイド体である目標ラインガイド体５ａと、を備えている。
【００７６】
平面視でクラブヘッド本体４ａの中央付近には、クラブフェイス１１の長さ方向（クラブヘッド本体４ａの幅方向）と並行になるようにして凹部４３が形成されている。この凹部４３が光取り込み部を構成する。そして、この凹部４３の上を橋渡すようにして目標ラインガイド体５ａが設けてある。なお、目標ラインガイド体５ａは、断面方形あるいは三角形や逆三角形状の筒状体で構成することもできる。
【００７７】
詳しくは、クラブヘッド本体４ａのうちのクラブフェイス１１側の突条部分４４と、クラブフェイス１１の反対側（クラブヘッド本体４ａの背部側）の突部分４５の間に橋渡すようにして設けてある。図９に示すように、突部分４５には穴４５１が貫通させてあり、この穴４５１から突条部分４４に向けて目標ラインガイド体５ａが挿設されている。突条部分４４には、目標ラインガイド体５ａの先端部を受ける半円溝状に構成された受部４４１が設けてある。この受部４４１に目標ラインガイド体５ａの先端部が嵌め入れた状態で固着されている。
【００７８】
目標ラインガイド体５ａは、その先部側の上面側に円形の開口部である目の位置確認穴３ｂを有する。目の位置確認穴３ｂの真下に対応する位置（直径線上、目標ラインガイド体５ａの底面側）には、同じく円形の開口部である目の位置確認穴３ｃを有している。目の位置確認穴３ｂ（以下、「上位置確認穴３ａ」という）と目の位置確認穴３ｃ（以下、「下位置確認穴３ｂ」という）は、同じ大きさである。
【００７９】
上位置確認穴３ａ及び下位置確認穴３ｂは、クラブフェイス１１のスイートスポットＳを通ってクラブフェイス１１から背部側（クラブヘッド２ａの後方）へ延びる垂直線上に位置している。即ち、上位置確認穴３ａ及び下位置確認穴３ｂは、後述する上スリット７ａ及び下スリット７ｂと同様に、ゴルファーＧが意図する目標ラインＸ上（図１１参照）に設けられている。この上位置確認穴３ａと下位置確認穴３ｂが、スイートスポットＳに対する目の位置が真上にあるか否かを確認できる目の位置確認手段を構成している。
【００８０】
目標ラインガイド体５ａの中間部分（上位置確認穴３ａの後の位置）には、目標ラインガイド体５ａの長さ方向に沿って細長いスリット７ａが設けてある。更に、スリット７ａ（以下、「上スリット７ａ」という）の真下に対応する位置に、同じくスリット７ｂ（以下、「下スリット７ｂ」という）が設けてある。上スリット７ａと下スリット７ｂは、同じ大きさである。
【００８１】
上スリット７ａ及び下スリット７ｂは、クラブフェイス１１のスイートスポットＳを通ってクラブフェイス１１から背部側（クラブヘッド２ａの後方）へ延びる垂直線上（図１１で目標ラインＸ上）に位置している。この各スリット７ａ，７ｂは、クラブヘッド２ａの上方から見た際の目標ラインＸに対するクラブフェイス１１の角度が直角であるか否かを視認できるフェイス角度視認手段を構成する。
【００８２】
このような構成により、クラブヘッド２ａの上方から見たときの上位置確認穴３ａから見える下位置確認穴３ｂの形（位置のズレ）を確認することにより、スイートスポットＳに対する目の位置が真上にあるか否かを確認できる。更に、上スリット７ａから見える下スリット７ｂの形（位置のズレ）を確認することにより、目標ラインＸに対してクラブフェイス１１を直角に合わせることができる。
【００８３】
なお、上位置確認穴３ａから見える下位置確認穴３ｂの形と、上スリット７ａから見える下スリット７ｂの形とは、容易に識別または区別できるようになっている。即ち、本実施例では、ヘッド本体４の凹部４３のうち、目標ラインガイド体５ａの真下に相当する部分である底部４３１は、少なくとも目標ラインガイド体５ａの上面側と異なる色に着色されており、これによって識別または区別を容易にしている。これにより、なお、本実施例では、底部４３１が蛍光黄色で、目標ラインガイド体５ａの上面側及び底部４３１の周りであるクラブヘッド本体４ａ全体上面が黒色で着色されている。
その他の作用及び効果は、実施例１と大体において同じであるため、説明を省略する。
【００８４】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００８５】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００８６】
【図１】本発明に係るゴルフ用パタークラブの第１の実施例を示しており、ゴルフ用パタークラブ１をクラブフェイス１１の背部斜視方向から見た説明図。
【図２】図１に示すゴルフ用パタークラブ１をクラブフェイス１１の正面斜視方向から見た説明図であり、ヘッド本体４に設けてある目の位置確認穴３を見ているゴルファーＧの目を合わせて示している。
【図３】図３は、図１に示すゴルフ用パタークラブ１の平面視説明図である。
【図４】図１に示すゴルフパター１を使用してパッティングを行っている状態を示す正面視説明図。
【図５】図４の側面視説明図。
【図６】ヘッド本体４の上から目の位置確認穴３の天部開口３２を通して底部開口３１を見た状態を示す説明図。
【図７】左目Ｌと右目Ｒにより、目標ラインガイド体５のスリット７を見た状態を示す説明図である。
【図８】本発明に係るゴルフ用パタークラブ１の第２の実施例を示す平面視説明図。
【図９】本発明に係るゴルフ用パタークラブの第３の実施例を示しており、ゴルフ用パタークラブ１ｂをクラブフェイス１１の背部斜視方向から見た説明図。
【図１０】図９に示すゴルフ用パタークラブ１ｂをクラブフェイス１１の正面斜視方向から見た説明図。
【図１１】図９に示すゴルフ用パタークラブ１ｂの平面視説明図。
【符号の説明】
【００８７】
１，１ａ，１ｂ ゴルフパター
２，２ａ クラブヘッド
３ 位置確認穴
３ａ スリット
３ｂ 上位置確認穴
３ｃ 下位置確認穴
４ ヘッド本体
４ａ クラブヘッド本体
５，５ａ 目標ラインガイド体
７，７ａ，７ｂ スリット
１１ クラブフェイス
１２ クラブシャフト
２１ クラブヘッド本体
２２ 底部材
２３ 凹部
３１ 底部開口
３２ 天部開口
３３ 内側面
４１ 背面
４２ 上面部
４３ 凹部
４４ 突条部分
４５ 突部分
５１ 内側面部
５２ 外側面部
５３ 上面部
６１．６２ 光取り込み部
７１ 底部開口
７２ 天部開口
７３ 内側面
４３１ 底部
４４１ 受部
４５１ 穴
【図１】
2006326216.tif 000003
【図２】
2006326216.tif 000004
【図３】
2006326216.tif 000005
【図４】
2006326216.tif 000006
【図５】
2006326216.tif 000007
【図６】
2006326216.tif 000008
【図７】
2006326216.tif 000009
【図８】
2006326216.tif 000010
【図９】
2006326216.tif 000011
【図１０】
2006326216.tif 000012
【図１１】
2006326216.tif 000013